(57)【要約】【課題】水が掛かっても故障等が発生せず、且つ、イオンの放出効率を低下させたり、外形が過度に大きくなるという様な不具合も無い、ガス温風暖房装置を開発する。【解決手段】ガス温風暖房装置１は、外部筺体２を有し、外部筺体２内に温風生成部３とイオン発生ユニット（イオン発生部）５が内蔵されたものである。イオン発生ユニット５は、内部筐体３０内にイオン発生装置３１と、送風機３２が内蔵されて構成されている。イオン発生ユニットの開口部６１に格子（落下防止部６２）を設け、落下防止部６２に一部閉塞部６３が設けられている。誤ってコーヒ等をこぼしても、電極部７０は、一部閉塞部６３によって保護され、電極部７０に直接コーヒ等が掛かることはない。【選択図】  図７
2012132635.tif 000002
【特許請求の範囲】
【請求項１】
床置きされる外部筺体と、ガスを燃焼して温風を生成する温風生成部と、イオン発生部とを有し、外部筐体内に温風生成部とイオン発生部とが内蔵され、外部筺体から温風とイオン含有空気とが放出され、外部筐体が床置きされた状態を基準としてイオン含有空気が外部筺体の上面側から放出されるガス温風暖房装置において、イオン発生部は、イオン発生装置と、送風機とを有し、イオン発生装置は、本体部とイオン生成部を有していてイオン生成部が本体部から露出し、イオン生成部の上部側にイオン含有空気を外部筺体の外部に放出するイオン放出部があり、イオン放出部にはその一部を閉塞する一部閉塞部が設けられ、前記イオン生成部の真上の部位に前記一部閉塞部があり、且つイオン発生装置から分離された位置に、液体を通過できる液体通過路が形成されていることを特徴とするガス温風暖房装置。
【請求項２】
外部筺体内に内蔵される内部筐体を有し、前記内部筐体の中にイオン発生装置と、送風機が内蔵され、内部筐体には、空気を導入する空気導入口と、イオン含有空気を排出するイオン吐出口とを有し、前記イオン吐出口には、複数の小開口に分けられて物品の進入を阻止する落下防止部があって当該落下防止部の一部に前記一部閉塞部があり、外部筺体は上部に上部側開口を有し、内部筐体はそのイオン吐出口が前記上部側開口に臨む様に設置されていることを特徴とする請求項１に記載のガス温風暖房装置。
【請求項３】
空気導入口は内部筐体の下部にあり、外部筺体には空気取り入れ用開口があり、内部筐体はその空気導入口が外部筺体の空気取り入れ用開口に臨む様に設置されていることを特徴とする請求項２に記載のガス温風暖房装置。
【請求項４】
内部筐体の中には、イオン発生装置を装着する発生装置装着領域と、発生装置装着領域と仕切りによって仕切られた液体通過路が形成されていることを特徴とする請求項２又は３に記載のガス温風暖房装置。
【請求項５】
内部筐体の下部には、液体通過路と連通する水抜き孔が設けられ、外部筺体には排水用開口があり、内部筐体は水抜き孔が外部筺体の排水用開口に臨む様に設置されていることを特徴とする請求項２乃至４のいずれに記載のガス温風暖房装置。
【請求項６】
イオン生成部は、電極であることを特徴とする請求項１乃至５のいずれに記載のガス温風暖房装置。
【発明の詳細な説明】
【技術分野】
【０００１】
本発明は、室内に設置されるガス温風暖房装置に関するものであり、特に一般家庭で使用される床置き型のガス温風暖房装置に関するものである。
【背景技術】
【０００２】
手軽な暖房器具として、ガス温風暖房装置が普及している。代表的なガス温風暖房装置は、外部筺体内にバーナと送風機を内蔵するものであり、バーナで火炎を発生させ、この燃焼ガスを大量の空気で希釈して外部筺体の外部に放出する構造となっている。
ガス温風暖房装置は、小型でありながら熱量が大きく、且つ瞬間的に点火して瞬間的に温風を発生させることができるので、使い勝手が良い。
特に床置き型のガス温風暖房装置は、使用者が自由に持ち運ぶことができ、台所や居間に床置きして使用される。
【０００３】
またガス温風暖房装置に、イオン発生部が内蔵され、室内にイオンを放出することができるものも知られている（特許文献１）。
イオン発生部は、針電極と、対向電極との間や、放電電極と誘導電極との間に高電圧を印加し、当該電極間にコロナ放電を発生させて、正イオンや負イオンを発生させる。そして発生したイオンは、外部筺体の外部に放出される。
イオンは、居住空間に浮遊する粒子を不活性化させる効果や、浮遊細菌を死滅させる効果、臭気成分を分解する効果等があるとされ、イオン発生部が内蔵されたガス温風暖房装置は、居住空間内の空気を清浄化する機能を有している。
【先行技術文献】
【特許文献】
【０００４】
【特許文献１】特許第３７８４７６０号公報
【発明の概要】
【発明が解決しようとする課題】
【０００５】
床置き型のガス温風暖房装置は、一般に全高が低い。また前記した様に、床置き型のガス温風暖房装置は、使用者が任意の場所に運んで使用される。
そのためガス温風暖房装置の上に物をこぼす場合がある。例えばダイニングルームやリビングルームにガス温風暖房装置が置かれた場合は、使用者が誤ってコーヒやお茶等の飲み物をガス温風暖房装置の上にこぼす場合がある。キッチンにガス温風暖房装置が置かれた場合は、炊事や後片付けの際に、水が掛かることがある。
ここで、イオン発生機能を持たないガス温風暖房装置であるならば、多少水が掛かっても壊れたり、使用者が危険な状態となることはない。
しかしながら、イオン発生機能を備えたガス温風暖房装置は、イオン発生部を壊したり、使用者が感電して驚く自体が考えられる。
即ちイオン発生部は、前記した様に電極間に高電圧を印加してイオンを発生させるから、当該部位に水が掛かると、ショートして故障の原因となる。また使用者が感電して驚く事態も考えられる。
【０００６】
ここで、イオンを放出する放出口を、外部筺体の側面に設けるレイアウトを採用すると、ガス温風暖房装置に水をこぼしても電極に水が掛かることが無いので、故障の懸念や使用者を驚かせる懸念は、解消される。
しかしながら、発生したイオンを効率良く室内に拡散させるためには、イオンを放出する放出口は、外部筺体の上面に設けることが望ましく、外部筺体の側面に放出口を開設するレイアウトは採用しがたい。
【０００７】
また電極からイオンを放出する放出口までの間に、曲路やトラップを設ければ、ガス温風暖房装置に水をこぼしても電極に水が至ることが無いので、故障の懸念や使用者を驚かせる懸念は、解消される。
しかしながら、この方策によると、イオン発生部の大きさが大きくなり、結果的に、外部筺体が大型化するという不満がある。
またイオンを放出する際の流路抵抗が大きくなり、風速が弱まってイオンの拡散を阻害する不具合も考えられる。
そこで本発明は、従来技術の上記した問題点に注目し、水が掛かっても故障等が発生せず、且つ、イオンの放出効率を低下させたり、外形が過度に大きくなるという様な不具合も無い、ガス温風暖房装置を開発することを課題とする。
【課題を解決するための手段】
【０００８】
上記した課題を解決するための請求項１に記載の発明は、床置きされる外部筺体と、ガスを燃焼して温風を生成する温風生成部と、イオン発生部とを有し、外部筐体内に温風生成部とイオン発生部とが内蔵され、外部筺体から温風とイオン含有空気とが放出され、外部筐体が床置きされた状態を基準としてイオン含有空気が外部筺体の上面側から放出されるガス温風暖房装置において、イオン発生部は、イオン発生装置と、送風機とを有し、イオン発生装置は、本体部とイオン生成部を有していてイオン生成部が本体部から露出し、イオン生成部の上部側にイオン含有空気を外部筺体の外部に放出するイオン放出部があり、イオン放出部にはその一部を閉塞する一部閉塞部が設けられ、前記イオン生成部の真上の部位に前記一部閉塞部があり、且つイオン発生装置から分離された位置に、液体を通過できる液体通過路が形成されていることを特徴とするガス温風暖房装置である。
【０００９】
本発明のガス温風暖房装置では、イオン含有空気が外部筺体の上面側から放出される。そのため本発明のガス温風暖房装置は、イオンの放出効率が高い。
また本発明のガス温風暖房装置では、イオン発生部を有している。そして、イオン発生部ではイオン生成部がイオン発生装置の本体部から露出しているが、イオン生成部の真上の部位に一部閉塞部があり、ガス温風暖房装置に水等をこぼしてもイオン生成部に直接水等が掛かることはない。
加えて、イオン発生装置から分離された位置に液体を通過できる液体通過路が形成されているから、外部筺体内に侵入した水等は、液体通過路を流れ、イオン発生装置が濡れることを防ぐ。
【００１０】
請求項２に記載の発明は、外部筺体内に内蔵される内部筐体を有し、前記内部筐体の中にイオン発生装置と、送風機が内蔵され、内部筐体には、空気を導入する空気導入口と、イオン含有空気を排出するイオン吐出口とを有し、前記イオン吐出口には、複数の小開口に分けられて物品の進入を阻止する落下防止部があって当該落下防止部の一部に前記一部閉塞部があり、外部筺体は上部に上部側開口を有し、内部筐体はそのイオン吐出口が前記上部側開口に臨む様に設置されていることを特徴とする請求項１に記載のガス温風暖房装置である。
【００１１】
本発明のガス温風暖房装置では、イオン発生部の主要な構成部品が、内部筐体に内蔵されている。そして外部筺体に内部筐体を装着することによって、イオン発生部が外部筺体に取り付けられる。
即ち本発明では、内部筐体には、イオン発生装置と送風機が内蔵されているばかりでなく、イオン吐出口も設けられている。そしてイオン吐出口には、物品の進入を阻止する落下防止部が設けられている。さらに落下防止部の前記した一部閉塞部までも形成されている。
一方、外部筺体は上部に上部側開口を有し、内部筐体はそのイオン吐出口が前記上部側開口に臨む様に設置されている。そのため内部筐体のイオン吐出口から直接的に外部筐体の外にイオンが放出される。
また前記した様に、イオン吐出口には落下防止部が設けられているから、固形物が外部筐体体内に入り込むことはない。
落下防止部は水等の液体の通過を阻止することはできないが、本発明では落下防止部に一部閉塞部が形成されており、当該一部閉塞部によって水等の流れが変わる。そして一部閉塞部は、イオン発生部の真上にあるから、水等が直接的にイオン発生部に掛かることはない。
また本発明では、イオン発生部の主要な構成部品が、内部筐体に内蔵されているから、イオン発生部の取付けやメンテナンスが容易である。
【００１２】
請求項３に記載の発明は、空気導入口は内部筐体の下部にあり、外部筺体には空気取り入れ用開口があり、内部筐体はその空気導入口が外部筺体の空気取り入れ用開口に臨む様に設置されていることを特徴とする請求項２に記載のガス温風暖房装置である。
【００１３】
本発明のガス温風暖房装置では、内部筐体はその空気導入口が外部筺体の空気取り入れ用開口に臨む様に設置されている。そのため本発明の構成によると、イオン発生部の取付けやメンテナンスが容易である。
【００１４】
請求項４に記載の発明は、内部筐体の中には、イオン発生装置を装着する発生装置装着領域と、発生装置装着領域と仕切りによって仕切られた液体通過路が形成されていることを特徴とする請求項２又は３に記載のガス温風暖房装置である。
【００１５】
本発明のガス温風暖房装置では、内部筐体の中に液体通過路が形成されている。またイオン発生装置を装着する発生装置装着領域と、液体通過路との間には仕切りがあり、水等が発生装置装着領域に侵入することを阻止している。
【００１６】
請求項５に記載の発明は、内部筐体の下部には、液体通過路と連通する水抜き孔が設けられ、外部筺体には排水用開口があり、内部筐体は水抜き孔が外部筺体の排水用開口に臨む様に設置されていることを特徴とする請求項２乃至４のいずれに記載のガス温風暖房装置である。
【００１７】
本発明のガス温風暖房装置では、水抜き孔が内部筐体に設けられており、水抜き孔が外部筺体の排水用開口に臨む様に設置されている。そのため本発明の構成によると、イオン発生部の取付けやメンテナンスが容易である。
【００１８】
請求項６に記載の発明は、イオン生成部は、電極であることを特徴とする請求項１乃至５のいずれに記載のガス温風暖房装置である。
【００１９】
本発明によると、電極部分に水等が掛かることが防がれるから、故障が少なく、且つ安全性が高い。
【発明の効果】
【００２０】
本発明のガス温風暖房装置は、水が掛かっても故障等が発生せず、且つ、イオンの放出効率を低下させたり、外形が過度に大きくなるという様な不具合が無い。
【図面の簡単な説明】
【００２１】
【図１】本発明の実施形態のガス温風暖房装置を正面側から観察した斜視図である。
【図２】図１のガス温風暖房装置の化粧カバーを取り外して裏面側から観察した斜視図である。
【図３】図１のガス温風暖房装置の分解斜視図である。
【図４】図１のガス温風暖房装置の外部筺体の空気取り入れ用開口及び排水用開口が設けられた部位の拡大斜視図である。
【図５】図１のガス温風暖房装置の断面図である。
【図６】図５のイオン発生ユニット部の拡大図である。
【図７】図５の断面拡大図において、イオン発生ユニットと外部筐体とを分離した状態の断面図である。
【図８】図１のガス温風暖房装置で採用するイオン発生ユニットの斜視図である。
【図９】図８のイオン発生ユニットの蓋部材を取り外した状態における斜視図である。
【図１０】図８のイオン発生ユニットの分解斜視図である。
【図１１】図８のイオン発生ユニットの一部断面斜視図である。
【図１２】図８のイオン発生ユニットの正面図である。
【図１３】図８のイオン発生ユニットの蓋部材を外した状態における正面図である。
【図１４】図１のガス温風暖房装置の上部開口部分を真上から観察した正面図である。
【図１５】図１０のイオン発生装置を示す斜視図である。
【発明を実施するための形態】
【００２２】
以下さらに本発明の実施形態について説明する。なお以下の説明において、上下の関係は、ガス温風暖房装置を床面に設置した状態の姿勢を基準として説明している。
本発明の実施形態のガス温風暖房装置１は、図１で示されるように、外部筺体２を有し、外部筺体２内に温風生成部３とイオン発生ユニット（イオン発生部）５が内蔵されたものである。
【００２３】
外部筺体２は、樹脂及び金属で構成されており、外形形状が略四角形である。
より詳細には、外部筺体２は、正面壁６と、裏面壁７を有し、さらに左右側面壁１０，１１、天面１２、及び底面１３を有する筐体である。
これらの各壁面の内、天面１２と左右側面壁１０，１１を除く各壁６，７，１３は、いずれも略平面的である。
これに対して天面１２は、平面部１６と傾斜部１７より構成されている。
【００２４】
外部筺体２の正面壁６には、温風を吹き出す温風吹き出し口１５が設けられている。温風吹き出し口１５は、手指等が入らない様に、ガラリ状となっている。
また外部筺体２の裏面壁７には、図２で示されるように、正面に大開口部２０が設けられている。大開口部２０は、燃焼に供する空気や、燃焼ガスに混合する空気を取り入れるための開口である。大開口部２０についても手指等が入らない様に、格子２１が装着されている。
【００２５】
また外部筺体２の裏面壁７には、図３で示されるように、正面視が長方形の凹部２２が形成され、当該凹部２２に、別途の空気取り入れ用開口２３が設けられている。
空気取り入れ用開口２３は、円形の開口である。
また凹部２２の下端部近傍には、図４で示されるように、長方形の排水用開口２５が設けられている。さらに凹部２２の下端部には、係合用の孔２６が２個設けられている。当該孔２６は、化粧板２４を取り付けるための孔であるが、後記する様に、水等を通過させる孔としても機能する。
【００２６】
外部筺体２の天面１２の傾斜部１７には、図３で示されるように、上部側開口２７が設けられている。上部側開口２７は、長方形の孔である。
【００２７】
温風生成部３は、公知のガス温風暖房装置と同様に、ガスバーナと送風機（いずれも図示せず）が内蔵された部材である。
【００２８】
イオン発生ユニット（イオン発生部）５は、図８，９に示すように、内部筐体３０内にイオン発生装置３１と、送風機３２が内蔵されたものである。
内部筐体３０は、図８，９に示すように、本体部３３と蓋体部３５とが一体化されたものであり、内部に、発生装置装着領域３６と、送風機装着部３７と、液体通過路５３と空間領域８０とが形成されている。
即ち、本体部３３は、図１０に示すように、図面奥側に本体立壁部３８が設けられ、その上端を除く各片に外壁部４０が設けられていて略箱型をした部材である。なお説明の便宜上、図１０を基準として左側の外壁部に４０ａに符号を付け、図面右側の外壁部に４０ｂに符号を付ける。
【００２９】
本体部３３の内部は、大きく３つの領域に分かれている。即ち本体部３３の内部は、上部領域Ａと、中間領域Ｂと、下部領域Ｃに分かれている。
【００３０】
中間領域Ｂは、さらに図９に示すように、左右二つの領域に区分されている。即ち中間領域Ｂは、発生装置装着領域形成部４１及び液体通過路形成部４２に区分されている。
【００３１】
中間領域Ｂをより詳細に説明すると、発生装置装着領域形成部４１は、本体立壁部３８の一部たる長方形の中間立面壁４６と、図面左側の辺の外壁部４０ａの一部と、中間立面壁４６の上部にあって中間立面壁４６から垂直方向に立設され、水平方向に延びる上部水平仕切り壁４７と、上下方向に延びる側部仕切り壁４８によって囲まれた領域である。
【００３２】
液体通過路形成部４２は、発生装置装着領域形成部４１に隣接する領域であり、前記した側部仕切り壁４８と、右側の外壁部４０ｂの一部とに挟まれた領域である。
【００３３】
本体部３３上部領域Ａは、空隙形成部４を構成している。空隙形成部４は、本体立壁部３８の一部たる傾斜壁５０と、上部立面壁５１と、これらの周囲に形成された外壁部４０ａ，４０ｂの一部とによって囲まれた領域である。
即ち傾斜壁５０は、前記した中間立面壁４６と連続し、中間立面壁４６に対して傾斜した平面を形成する壁である。また上部立面壁５１は、傾斜壁５０と連続し、前記した中間立面壁４６と平行な面を形成する壁である。
【００３４】
一方、本体部３３の下部領域Ｃは、送風機装着部形成部４４となっている。送風機装着部形成部４４は、発生装置装着領域形成部４１及び液体通過路形成部４２の下部に設けられた部位である。送風機装着部形成部４４は、他の領域よりも幅が広い下部立面壁５２を有し、当該下部立面壁５２と、この周囲にある外壁部４０の一部とによって囲まれた領域である。送風機装着部形成部４４の中心軸は、前記した中間領域Ｂに対してオフセットしている。より具体的には、送風機装着部形成部４４の中心軸は、中間領域Ｂの液体通過路形成部４２から遠ざかる方向にオフセットしている。
送風機装着部形成部４４を構成する下部立面壁５２は、中間立面壁４６と同一の平面を形成する。
【００３５】
蓋体部３５は、図１０で示されるように、前記した本体部３３に合致して内部に空隙を形成する部材である。
蓋体部３５は、本体部３３の本体立壁部３８に対向する蓋側立壁部６０を有し、蓋側立壁部６０の周囲に外壁部４５が設けられている。
蓋体部３５についても、本体部３３と同様に、上部領域Ａ’と、中間領域Ｂ’と下部領域Ｃ’に区分されている。
【００３６】
蓋体部３５の中間領域Ｂ’の蓋側立壁部６０は、前記した本体部３３の本体立壁部３８に比べて幅が狭く、本体立壁部３８の内の発生装置装着領域形成部４１の面積に相当する面積しか持たない。
また蓋体部３５の中間領域Ｂ’の外壁部４５は、本体部３３の一方の外壁部４０ａと、側部仕切り壁４８とに合致する。また蓋体部３５の中間領域Ｂ’においては、一方の外壁部４５ｂの先端にフランジ部４９が設けられており、当該フランジ部４９が、本体部３３の液体通過路形成部４２と対向する。
【００３７】
蓋体部３５の上部領域Ａ’では、蓋側立壁部６０が拡径され、且つ本体部３３側に大きく傾斜して傾斜面７６を構成している。また蓋体部３５の上部領域Ａ’は、大きな開口部６１を有し、当該開口部に落下防止部６２が設けられている。即ち蓋体部３５の上部の傾斜面７６に開口部６１が設けられ、当該開口部６１に落下防止部６２が設けられている。
落下防止部６２は、具体的には格子であり、複数の小開口に分けられて空気の通過を許すが、固体の通過は許さない。ただし、落下防止部６２の一部は、開口が完全に封鎖された一部閉塞部６３が設けられている。一部閉塞部６３は、落下防止部６２たる格子の裏面側にあり、正方形の板状をしている。一部閉塞部６３は、図１１で示されるように、固体だけでなく、液体も遮断する。
一部閉塞部６３の位置は、本体部３３側から離れた位置であり、水平方向については、開口部６１の中心にある。
また後記する様に、一部閉塞部６３は、イオン発生装置３１の電極部７０の真上にある（図１１）。
【００３８】
図１０で示されるように蓋体部３５の下部領域Ｃ’は、中間領域Ｂ’よりも大面積である。下部領域Ｃ’の正面形状は略正方形であるが、下部領域Ｃ’の中心軸線は、中間領域Ｂ’に対してオフセットしている。
下部領域Ｃ’の蓋側立壁部６０には、空気導入口６５が設けられている。空気導入口６５は、大きな円形の開口であり、内部に格子６６が設けられている。
また空気導入口６５の周囲は、周壁６７で囲まれている。周壁６７は、高さの低い壁であり、蓋側立壁部６０の外周側にあって外側に向かって垂直に突出している。
【００３９】
また蓋体部３５の下部領域Ｃ’の最下部には、水抜き孔７３（図１０，図１１）が設けられている。
水抜き孔７３の位置は、蓋側立壁部６０の中心軸上であって、下辺側の外壁部４５ｃと交わる角の部位である。
【００４０】
イオン発生装置３１は、図１０，図１５で示されるように、長方形の本体部６８を有し、本体部６８から電極部７０（イオン生成部）が突出したものである。
即ち本体部６８は、正面視が長方形であり、図１０の様に奥行き方向が薄い。電極部７０は、長方形の短辺部７４の中心にあり、本体部６８の正面側から垂直方向に突出している。電極部７０の大きさは、門形であり、その幅ｗは、本体部６８の幅Ｗの３分の１程度である。
また突出方向の高さｈは、本体部６８の高さＨと同程度である。
【００４１】
送風機３２は、図１０のように渦巻き型のファンであり、全体が蝸牛状であり、側面に給気口７１がある。また渦巻き型をした筐体の先端に送風口７２がある。
【００４２】
イオン発生ユニット（イオン発生部）５は、前記した様に内部筐体３０内にイオン発生装置３１と、送風機３２が内蔵されたものである（図９，図１３）。
即ち本体部３３と蓋体部３５が合致されると、前記した様に、発生装置装着領域３６と、送風機装着部３７と、液体通過路５３と空間領域８０とが形成される（図９，図１３）。
より具体的には、本体部３３の本体立壁部３８と蓋側立壁部６０で前後の面が覆われている（図１１）。そして本体部３３の中間領域Ｂにある発生装置装着領域形成部４１によって、内部筐体３０内に発生装置装着領域３６が形成されている。
【００４３】
また本体立壁部３８と、蓋体部３５のフランジ部４９によって液体通過路５３が形成されている。液体通過路５３は、図１０のように本体立壁部３８と、蓋体部３５のフランジ部４９と、側部仕切り壁４８と、本体部３３の外壁部４０ｂで囲まれた空間である。
【００４４】
また図６、図７、図１０、図１１のように、本体部３３の上部領域Ａと、蓋体部３５の上部領域Ａ’との間で空間領域８０が形成される。即ち本体部３３の空隙形成部４が、蓋体部３５の傾斜面７６で覆われて、空間領域８０が形成されている。
空間領域８０では、蓋体部３５の蓋側立壁部６０たる傾斜面７６が天井面となっている。
【００４５】
さらに本体部３３の下部領域Ｃと、蓋体部３５の下部領域Ｃ’との間で送風機装着部３７が形成されている。即ち下部領域Ｃの送風機装着部形成部４４が、蓋体部３５で封鎖されて、送風機装着部３７が形成されている。
【００４６】
そして図６、図７、図１１に示すように、発生装置装着領域３６にイオン発生装置３１が配置されるが、イオン発生装置３１の正面と、蓋体部３５の蓋側立壁部６０との間には大きな隙間がある。当該隙間は、空気通路７８として機能する。
空気通路７８は、図６で示すように、下部の送風機装着部３７及び上部の空間領域８０を連通する。
【００４７】
また内部筐体３０の送風機装着部３７に送風機３２が装着されている。送風機３２の送風口７２は、空気通路７８に臨んでいる。また送風口７２の軸線は、イオン発生装置３１の電極部７０の軸線と一致する。
さらに送風機３２の給気口７１は、送風機装着部３７に設けられた空気導入口６５の近傍にある。
【００４８】
イオン発生ユニット（イオン発生部）５が組み立てられた状態では、図６、図７、図１１のようにイオン発生装置３１の電極部７０の上部に、蓋部材３５の傾斜面７６及び開口部６１がある。そして電極部７０の真上の位置に一部閉塞部６３がある。
イオン発生ユニット（イオン発生部）５を真上から見た場合、図１４の様に、一部閉塞部６３に隠れて電極部７０は見えない。
【００４９】
前記したイオン発生ユニット（イオン発生部）５は、外部筺体２の内面側に装着されている。具体的には、外部筺体２の凹部２２の内側に図示しないネジによってイオン発生ユニット５が取り付けられている。そして外部筺体２の傾斜部１７に形成された上部側開口２７に、イオン発生ユニット５の天面部（傾斜面７６）が嵌まり込んでいる。即ち外部筺体２の傾斜部１７に形成された上部側開口２７と、イオン発生ユニット５の天面部は共に四角形であり、略同一の大きさである。そのためイオン発生ユニット５の天面部（傾斜面７６）は、外部筺体２の上部側開口２７に隙間無く嵌合する。
外部筺体２の上部側開口２７に、イオン発生ユニット５の天面部（傾斜面７６）が嵌まり込んでいるから、イオン発生ユニット５の開口部６１は、外部筺体２の上部側開口２７に臨む位置にある。
【００５０】
またイオン発生ユニット５の天面部（傾斜面７６）は、外部筺体２と同様に傾斜しているので、イオン発生ユニット５が装着された状態を外側から見ても違和感がない。即ちイオン発生ユニット５の天面部と外部筺体２の傾斜部１７は、調和が取れていて一体感がある。
【００５１】
またイオン発生ユニット５の下部側に目を移すと、イオン発生ユニット５の空気導入口６５の周壁６７が、外部筺体２の空気取り入れ用開口２３に嵌まり込んでいる。
そのためイオン発生ユニット５の空気導入口６５は、外部筺体２の空気取り入れ用開口２３に臨む位置にある。
【００５２】
さらに、下部側に注目すると、イオン発生ユニット５の水抜き孔７３が外部筺体２の排水用開口２５と合致している。そのためイオン発生ユニット５の水抜き孔７３は、外部筺体２の排水用開口２５に臨む位置にある。
【００５３】
次に本実施形態のガス温風暖房装置１の機能について説明する。
本実施形態のガス温風暖房装置１は、公知のそれと同様に、内部の温風生成部３で温風が作られ、外部筺体２の正面に設けられた温風吹き出し口１５から当該温風が吹き出される。即ち図示しないガス供給ホースから外部筺体２に内蔵されたバーナ（図示）に燃料ガスが供給され、さらに図示しない送風機によってバーナに一次空気及び二次空気が供給されて燃焼される。そして燃焼ガスに対して図示しない送風機から大量の空気が混入され、適温に冷まされた温風が、温風吹き出し口１５から吹き出される。
【００５４】
またイオン発生ユニット５によって室内にイオン含有空気が放出される。即ち内部筐体３０内に内蔵されたイオン発生装置３１と送風機３２に通電すると、イオン発生装置３１の電極部７０で放電が発生し、イオンが生じる。また送風機３２に通電されることによって、内部筐体３０の内部に通風が生じる。即ち送風機３２が回転すると、送風機３２の給気口７１が負圧傾向となるが、送風機３２の給気口７１は、内部筐体３０の送風機装着部３７に設けられた空気導入口６５の近傍にある。そして内部筐体３０の空気導入口６５は、外部筺体２の空気取り入れ用開口２３に臨む位置にあり、外部筺体２の外に向かって開いている。
【００５５】
そのため送風機３２が回転すると、外部筺体２の外から送風機３２に空気が吸引され、送風機３２の送風口７２から吐出される。ここで送風機３２の送風口７２は、イオン発生装置３１の本体部６８と、蓋体部３５の蓋側立壁部６０の間に形成された空気通路７８に開いている。そのため送風は、イオン発生装置３１の表面側を下から上に向かって流れ、電極部７０に至ってイオンを巻き込む。そしてイオンを含んだ空気は、さらに上部に向かって流れ、上部の空間領域８０に入る。
ここで上部の空間領域８０には、天井部（傾斜面７６）に開口部６１があり、さらに開口部６１は、外部筺体２の上部側開口２７に臨む位置にあって直接外部に向かって開いている。そのため空間領域８０に入った通風は、内部筐体３０の天面に形成された開口部６１から直接的に外部筺体２の外に排出される。
【００５６】
この様に、本実施形態では、空気の流れ、特に、イオンが混入された後の空気の流れが直線的であるから、イオン発生ユニット５の外形形状が小さい。
また前記した様にイオンが混入された後の空気の流れが直線的であるから、イオン発生ユニット５内の圧力損失が小さく、イオンを排出する際の空気の流速が早い。またイオンは、外部筺体２の上面から排出される。この様に、イオンを含む空気の流速が早く、且つ外部筺体２の上面からイオンが排出されるので、イオンの室内への拡散が早い。
【００５７】
また万一、本実施形態のガス温風暖房装置１にコーヒ等の液体をこぼしても、故障や感電等が発生する懸念はない。
即ち、本実施形態のガス温風暖房装置１は、床面に設置して使用されるから、誤ってコーヒ等をこぼした際に、コーヒが外部筺体２に掛かる場合がある。
そしてコーヒは、外部筺体２の上面に開いているイオン発生ユニット５の開口部６１からイオン発生ユニット５の中に入る。しかしながら、本実施形態のガス温風暖房装置１では、イオン発生ユニット５の開口部６１に一部閉塞部６３が設けられており、当該一部閉塞部６３は、イオン発生装置３１の電極部７０の真上にある。そのためイオン発生ユニット５の開口部６１にコーヒ等が掛かっても、電極部７０は、一部閉塞部６３によって保護され、電極部７０に直接コーヒ等が掛かることはない。即ち本実施形態では、一部閉塞部６３が庇となって電極部７０にコーヒが直接落下することを防いでいる。
【００５８】
即ちコーヒ等は、一部閉塞部６３の端部からイオン発生ユニット５の内部筐体３０内に落ちるが、コーヒ等が落下した位置には、電極部７０は無い。
そして落下したコーヒ等は、液体通過路５３を流れて下に落下してゆく。ここで液体通過路５３は、内部筐体３０の中にあるものの、イオン発生装置３１が配置された領域や、通風領域とは区分されている。
即ち液体通過路５３は、本体立壁部３８と、蓋体部３５のフランジ部４９と、側部仕切り壁４８と、本体部３３の外壁部４０ｂで囲まれた流路であり、イオン発生装置３１が配置された発生装置装着領域３６や、空気通路７８とは別の空間である。
【００５９】
そのため、落下したコーヒ等は、イオン発生装置３１から外れた位置を流れ、下部領域の送風機装着部３７に至る。
ここで送風機装着部３７には、水抜き孔７３が設けられており、当該水抜き孔７３は外部筺体２の排水用開口２５と合致している。そのため送風機装着部３７に流れ込んだコーヒ等は、送風機装着部３７の水抜き孔７３を経て、外部筺体２の排水用開口２５から外部に排出される。
なお、コーヒ等は、その後、外部筺体２の凹部２２の下の段部分に溜まる。そして凹部２２の係合用の孔２６から、再度外部筺体２の中に流れ込み、外部筺体２の内壁を伝って下に落ちる。
【００６０】
この様に、本実施形態のガス温風暖房装置１は、コーヒや紅茶等の液体をこぼしても、故障が生じることはない。
また本実施形態のガス温風暖房装置１は、イオン発生部５がユニット化されているから、イオン発生部５を外部筺体２に取り付ける作業が容易である。またイオン発生部５が故障した場合の取り替えについても簡単である。
さらに本実施形態のガス温風暖房装置１はイオン発生部５をユニット化して外部筺体２と別体とし、イオン発生ユニットの筐体（内部筐体３０）側の開口部６１に格子（落下防止部６２）を設けたから、格子の成形が容易である。即ち外部筺体２内に固体が落ち込むことを防止するために、イオンの排出口に網や格子、ガラン等の落下防止部６２を設ける必要がある。ここで落下防止部６２だけを別成形して開口に装着する構造とすると、落下防止部６２の成形は容易であるが、落下防止部６２が外れてしまったり、なくしてしまう場合がある。
一方、外部筺体２と一体的に落下防止部６２を成形してしまうと、落下防止部６２が外れることは無いが、細かい格子等を成形するための金型が複雑な構造となってしまう。
【００６１】
これに対して本実施形態では、内部筐体３０側に網や格子、ガラン等の落下防止部６２を設け、内部筐体３０の上部側を外部筺体２に設けた開口（上部側開口２７）に嵌合させる構造を採用したので、落下防止部６２が外れる懸念はない。また内部筐体３０は、外部筺体２よりも外形が小さいので、落下防止部６２の成形が容易である。
【００６２】
内部筐体３０の下部に設けた空気導入口６５について同様の作用効果が期待でき、空気導入口６５に格子等の遮蔽物を設けることによって、遮蔽部が外れる懸念を払拭できる。また遮蔽部の成形も容易である。
【符号の説明】
【００６３】
１    ガス温風暖房装置
２    外部筺体
３    温風生成部
５    イオン発生ユニット（イオン発生部）
２３  空気取り入れ用開口
２５  排水用開口
２７  上部側開口
３０  内部筐体
３１  イオン発生装置
３２  送風機
３３  本体部
３５  蓋体部
３６  発生装置装着領域
３７  送風機装着部
３８  本体立壁部
５３  液体通過路
６１  開口部（イオン吐出口）
６２  落下防止部
６３  一部閉塞部
６５  空気導入口
７０  電極部（イオン生成部）
７１  給気口
７２  送風口
７３  水抜き孔
７６  傾斜面
７８  空気通路
８０  空間領域
【図１】
2012132635.tif 000003
【図２】
2012132635.tif 000004
【図３】
2012132635.tif 000005
【図４】
2012132635.tif 000006
【図５】
2012132635.tif 000007
【図６】
2012132635.tif 000008
【図７】
2012132635.tif 000009
【図８】
2012132635.tif 000010
【図９】
2012132635.tif 000011
【図１０】
2012132635.tif 000012
【図１１】
2012132635.tif 000013
【図１２】
2012132635.tif 000014
【図１３】
2012132635.tif 000015
【図１４】
2012132635.tif 000016
【図１５】
2012132635.tif 000017